(57)【要約】【課題】インテリア用品の表面を被覆したカバーのずれやはがれを防止して、インテリア用品外観を良好に保持できるようにすること。【解決手段】本発明では、表面をカバー（５）で交換可能に被覆したインテリア用品（テーブル１）において、カバー（５）で被覆した基板（天板４）の端縁部でカバー（５）を折り返し、基板（天板４）の端縁部の表裏両面で基板（天板４）とカバー（５）とを着脱手段（６）で交換可能に装着することにした。特に、前記基板（天板４）の両端縁部でカバー（５）を折り返し、基板(天板４）の両端縁部の表裏両面で基板（天板４）とカバー（５）とを着脱手段（６）で交換可能に装着することにした。【選択図】図１
2011030588.tif 000002
【特許請求の範囲】
【請求項１】
表面をカバーで交換可能に被覆したインテリア用品において、
カバーで被覆した基板の端縁部でカバーを折り返し、基板の端縁部の表裏両面で基板とカバーとを着脱手段で交換可能に装着したことを特徴とするインテリア用品。
【請求項２】
前記基板の両端縁部でカバーを折り返し、基板の両端縁部の表裏両面で基板とカバーとを着脱手段で交換可能に装着したことを特徴とする請求項１に記載のインテリア用品。
【発明の詳細な説明】
【技術分野】
【０００１】
本発明は、インテリア用品に関するものであり、特に、表面をカバーで交換可能に被覆したインテリア用品に関するものである。
【背景技術】
【０００２】
テーブルやイスなどのインテリア用品は、一般的に木材や金属などで形成され、表面に一定の着色や模様が施されている。
【０００３】
従来のインテリア用品では、表面の着色や模様が固定されているものが一般的である。しかしながら、インテリア用品を長期間にわたって使用すると、傷や汚れなどによって表面が劣化してしまったり、使用者の好みの変化などによって表面の着色や模様に使用者が飽きを感じることがある。
【０００４】
そのため、従来のインテリア用品では、使用者がインテリア用品の表面に布やビニールなどのカバーを敷いて使用し、カバーを交換することで表面の劣化や使用者の好みの変化に対応するようにしていた。
【０００５】
また、従来のインテリア用品の中には、表面の劣化や使用者の好みの変化に応じられるようにするために、テーブルの天板やイスの座板などのインテリア用品の表面を形成する基板を交換できるように構成したものもある（たとえば、特許文献１参照。）。
【先行技術文献】
【特許文献】
【０００６】
【特許文献１】特開２００６−３３４３０７号公報
【発明の概要】
【発明が解決しようとする課題】
【０００７】
ところが、上記従来のインテリア用品において、使用者がインテリア用品の表面にカバーを敷くようにした場合には、基板の縁部でカバーがめくれ上がって外観を損なってしまったり、インテリア用品の表面でカバーが滑ってずれてしまうといった不具合が生じるおそれがある。
【０００８】
また、上記従来のインテリア用品において、基板を交換するようにした場合には、基板ごと交換しなければならず、容易に交換することができないといった不具合が生じるおそれがある。
【課題を解決するための手段】
【０００９】
そこで、請求項１に係る本発明では、表面をカバーで交換可能に被覆したインテリア用品において、カバーで被覆した基板の端縁部でカバーを折り返し、基板の端縁部の表裏両面で基板とカバーとを着脱手段で交換可能に装着することにした。
【００１０】
また、請求項２に係る本発明では、請求項１に係る本発明において、前記基板の両端縁部でカバーを折り返し、基板の両端縁部の表裏両面で基板とカバーとを着脱手段で交換可能に装着することにした。
【発明の効果】
【００１１】
そして、本発明では、以下に記載する効果を奏する。
【００１２】
すなわち、本発明では、表面をカバーで交換可能に被覆したインテリア用品において、カバーで被覆した基板の端縁部でカバーを折り返し、基板の端縁部の表裏両面で基板とカバーとを着脱手段で交換可能に装着することにしているために、表面の劣化や使用者の好みの変化に応じてカバーを容易に交換することができるとともに、基板の端縁部で基板とカバーとが強固に装着されることになり、基板の端縁部でカバーがめくれ上がって外観を損なうのを防止することができる。
【００１３】
特に、基板の両端縁部でカバーを折り返し、基板の両端縁部の表裏両面で基板とカバーとを着脱手段で交換可能に装着することにした場合には、基板の両端縁部で基板とカバーとが強固に装着されることになり、基板の表面でカバーが滑ってずれてしまうのを防止することができる。
【図面の簡単な説明】
【００１４】
【図１】本発明に係るインテリア用品を示す平面図。
【図２】同正面一部切欠断面図。
【図３】同右側面図。
【図４】同正面拡大断面図。
【発明を実施するための形態】
【００１５】
以下に、本発明に係るインテリア用品の具体的な構成について図面を参照しながら説明する。
【００１６】
本発明に係るインテリア用品としてのテーブル１は、図１〜図４に示すように、前後一対の矩形枠状の脚体2,3の上部間に天板４を取付け、天板４にカバー５を着脱手段６を介して交換可能に装着している。ここで、テーブル１の場合には、天板４がカバー５で交換可能に被覆した基板となっている。
【００１７】
天板４は、前後端縁部を脚体2,3の内側に取付け、左右端部において端縁を下方に向けて湾曲状に折曲し、表面に多数の軽量化のための貫通孔７を形成している。
【００１８】
カバー５は、前後幅を天板４の前後幅と同等とし、左右幅を天板４の左右幅よりも長く形成し、シート状に形成したカバー本体８の前後端縁部の表裏面に縁帯９を取付けている。
【００１９】
着脱手段６は、天板４にカバー５を繰り返し着脱することができるものであればよく、ここでは、布製のカバー本体８に着脱できる帯状の面ファスナー10を用いているが、両面テープや磁石などであってもよい。
【００２０】
着脱手段６は、帯状の面ファスナー10を天板４に前後に間隔をあけて取付けるとともに、面ファスナー10を天板４の左右端縁部で表側から裏側に向けて180度折り返し、面ファスナー10を天板４の左右端縁部の表裏両面に取付けている。
【００２１】
そして、上記テーブル１では、天板４の左側又は右側の端縁部でカバー５を折り返し、天板４の左側又は右側の端縁部の表裏両面で天板４とカバー５とを着脱手段６で交換可能に装着している。
【００２２】
このように、上記テーブル１では、天板４にカバー５を着脱手段６で交換可能に装着しているために、表面の劣化や使用者の好みの変化に応じてカバー５を容易に交換することができる。
【００２３】
しかも、上記テーブル１では、天板４の左側又は右側の端縁部の表裏両面で天板４にカバー５が装着されているために、天板４の左側又は右側の端縁部においてカバー５が天板４に強固に装着されることになり、これにより、天板４の端縁部でカバー５がめくれ上がって外観が損なわれてしまうのを未然に防止することができる。
【００２４】
特に、上記テーブル１では、天板４の左側又は右側の一方の端縁部だけでなく左側及び右側の両端縁部でカバー５を折り返し、天板４の左右両端縁部の表裏両面で天板４とカバー５とを着脱手段６で交換可能に装着している。
【００２５】
そのため、上記テーブル１では、天板４の左右両端縁部で天板４とカバー５とが強固に装着されることになり、カバー５を左側又は右側に向けてずらす力が作用しても天板４の左右両端縁部でカバー５を保持し、これにより、天板４の表面でカバー５が滑ってずれてしまうのを未然に防止することができる。
【００２６】
また、上記テーブル１では、天板４の前後端縁部に脚体2,3を取付けて天板４の前後端縁部において天板４の上面よりも上方に脚体2,3を位置させ、天板４の前後端縁部に脚体2,3で側壁を形成しているために、カバー５が前後方向に滑ってずれてしまうのを防止することができるとともに、カバー５を天板４に装着する際に脚体2,3を前後のガイドとして利用することで、天板４にカバー５を正確な位置に装着することができる。
【００２７】
また、上記テーブル１では、カバー５の前後端縁部に縁帯９を取付け、カバー５の縁帯９よりも前後内側においてカバー５を天板４に着脱手段６で装着しているために、カバー５を天板４から剥がす際に縁帯９を持ち上げることで天板４からカバー５を容易に剥がすことができる。
【００２８】
さらに、上記テーブル１では、貫通孔７に沿って着脱手段６（面ファスナー10）を取付けて貫通孔７の上部に着脱手段６を位置させているために、貫通孔７においてカバー５が着脱手段６で支持されることになり、これにより、カバー５が貫通孔７で陥没してしまうのを防止することができる。
【００２９】
なお、以上の説明では、インテリア用品としてテーブル１を例示しているが、これに限定されるものではない。本発明に係るインテリア用品とは、イスや机などの家具、畳やカーペットなどの敷物、壁板などの内装材などのように、室内で使用される種々の構造物を指しており、本発明は、室内で使用される構造物において表面にカバーを交換可能に装着する際に適用できるものである。また、以上の説明では、テーブル１の天板４がカバー５で被覆する基板となっているが、たとえば、イスの場合には座板が基板となり、畳の場合には芯材が基板として機能する。
【符号の説明】
【００３０】
１  テーブル
2,3  脚体
４  天板
５  カバー
６  着脱手段
７  貫通孔
８  カバー本体
９  縁帯
10  面ファスナー
【図１】
2011030588.tif 000003
【図２】
2011030588.tif 000004
【図３】
2011030588.tif 000005
【図４】
2011030588.tif 000006
【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
表面をカバーで交換可能に被覆したインテリア用品において、
カバーで被覆した基板の左右両端縁部で、前後端縁部に縁帯を設けたカバーを折り返し、基板の左右両端縁部の表裏両面であって縁帯の前後内側で基板とカバーとを着脱手段で交換可能に装着したことを特徴とするインテリア用品。
【請求項２】
前記基板の前後両端縁部に基板の上面よりも上方に位置させた状態で脚体を取付けて、基板の前後端縁部に脚体で側壁を形成したことを特徴とする請求項１に記載のインテリア用品。
【手続補正２】
【補正対象書類名】明細書
【補正対象項目名】０００９
【補正方法】変更
【補正の内容】
【０００９】
そこで、請求項１に係る本発明では、表面をカバーで交換可能に被覆したインテリア用品において、カバーで被覆した基板の左右両端縁部で、前後端縁部に縁帯を設けたカバーを折り返し、基板の左右両端縁部の表裏両面であって縁帯の前後内側で基板とカバーとを着脱手段で交換可能に装着することにした。
【手続補正３】
【補正対象書類名】明細書
【補正対象項目名】００１０
【補正方法】変更
【補正の内容】
【００１０】
また、請求項２に係る本発明では、請求項１に係る本発明において、前記基板の前後両端縁部に基板の上面よりも上方に位置させた状態で脚体を取付けて、基板の前後端縁部に脚体で側壁を形成することにした。
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
表面をカバーで交換可能に被覆したインテリア用品において、
カバーで被覆した基板の左右両端縁部で、前後端縁部に縁帯を設けたカバーを折り返し、基板の左右両端縁部の表裏両面であって縁帯の前後内側で基板とカバーとを着脱手段で交換可能に装着し、基板に複数の貫通孔を形成するとともに、着脱手段を基板に形成した複数の貫通孔の上部に位置させて、貫通孔においてカバーを着脱手段で支持したことを特徴とするインテリア用品。
【請求項２】
前記基板の前後両端縁部に基板の上面よりも上方に位置させた状態で脚体を取付けて、基板の前後端縁部に脚体で側壁を形成したことを特徴とする請求項１に記載のインテリア用品。
【手続補正２】
【補正対象書類名】明細書
【補正対象項目名】０００９
【補正方法】変更
【補正の内容】
【０００９】
そこで、請求項１に係る本発明では、表面をカバーで交換可能に被覆したインテリア用品において、カバーで被覆した基板の左右両端縁部で、前後端縁部に縁帯を設けたカバーを折り返し、基板の左右両端縁部の表裏両面であって縁帯の前後内側で基板とカバーとを着脱手段で交換可能に装着し、基板に複数の貫通孔を形成するとともに、着脱手段を基板に形成した複数の貫通孔の上部に位置させて、貫通孔においてカバーを着脱手段で支持することにした。
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
表面をカバーで交換可能に被覆したインテリア用品において、
カバーで被覆した基板の左右両端縁部で、前後端縁部に縁帯を設けたカバーを折り返し、基板の左右両端縁部の表裏両面であって縁帯の前後内側で基板とカバーとを着脱手段で交換可能に装着し、基板全体に複数の貫通孔を形成するとともに、着脱手段を基板の表面全体に形成した複数の貫通孔の上部に位置させて、貫通孔においてカバーを着脱手段で支持したことを特徴とするインテリア用品。
【請求項２】
前記基板の前後両端縁部に基板の上面よりも上方に位置させた状態で脚体を取付けて、基板の前後端縁部に脚体で側壁を形成したことを特徴とする請求項１に記載のインテリア用品。
【手続補正２】
【補正対象書類名】明細書
【補正対象項目名】０００９
【補正方法】変更
【補正の内容】
【０００９】
そこで、請求項１に係る本発明では、表面をカバーで交換可能に被覆したインテリア用品において、カバーで被覆した基板の左右両端縁部で、前後端縁部に縁帯を設けたカバーを折り返し、基板の左右両端縁部の表裏両面であって縁帯の前後内側で基板とカバーとを着脱手段で交換可能に装着し、基板全体に複数の貫通孔を形成するとともに、着脱手段を基板の表面全体に形成した複数の貫通孔の上部に位置させて、貫通孔においてカバーを着脱手段で支持することにした。